(57)【要約】【課題】ハンドオーバが成功する可能性をより高くすることを可能にすること。【解決手段】本発明の第１の装置は、ビームフォーミングを用いてリファレンス信号を送信する第１通信処理部と、端末装置のハンドオーバのソース基地局からハンドオーバメッセージを受信する第２通信処理部と、を備える。上記ハンドオーバメッセージは、ビームに関するビーム関連情報を含む。上記第１通信処理部は、上記ビーム関連情報に基づいて、上記端末装置のアクセス信号を受信する。【選択図】図８
2020074639.tif 000002
【特許請求の範囲】
【請求項１】
ビームフォーミングを用いてリファレンス信号を送信する第１通信処理部と、
端末装置のハンドオーバのソース基地局からハンドオーバメッセージを受信する第２通信処理部と、
を備え、
前記ハンドオーバメッセージは、ビームに関するビーム関連情報を含み、
前記第１通信処理部は、前記ビーム関連情報に基づいて、前記端末装置のアクセス信号を受信する、
装置。
【請求項２】
前記アクセス信号は、前記端末装置のランダムアクセスにおけるアップリンク信号である、請求項１に記載の装置。
【請求項３】
前記第２通信処理部は、前記アクセス信号を送信するための無線リソースを示すリソース情報を前記ソース基地局へ送信する、請求項１又は２に記載の装置。
【請求項４】
前記無線リソースは、前記ビーム関連情報に対応するビーム又はビームフォーミング重みのセットのための無線リソースである、請求項３に記載の装置。
【請求項５】
前記リソース情報は、前記ソース基地局から前記端末装置へ送信される情報である、請求項３又は４に記載の装置。
【請求項６】
前記第１通信処理部は、複数のビームによりリファレンス信号を送信する、請求項１〜５のいずれか１項に記載の装置。
【請求項７】
前記ビーム関連情報は、複数のビームのうちの１つに関する情報である、請求項１〜６のいずれか１項に記載の装置。
【請求項８】
ビームに関する第１のビーム関連情報であって、ビームフォーミングを用いてリファレンス信号を送信する基地局についての前記第１のビーム関連情報を、端末装置から受信する第１通信処理部と、
前記第１のビーム関連情報に対応する第２のビーム関連情報を含むハンドオーバメッセージを、前記基地局へ送信する第２通信処理部と、
を備え、
前記第２のビーム関連情報は、前記基地局が前記端末装置のアクセス信号を受信するのに用いる情報である、
装置。
【請求項９】
第１の基地局によりビームフォーミングを用いて送信されるリファレンス信号を受信する受信処理部と、
ビームに関する第１のビーム関連情報であって、前記第１の基地局についての前記第１のビーム関連情報を、第２の基地局へ送信する送信処理部と、
を備え、
前記第１のビーム関連情報は、前記第１の基地局がアクセス信号を受信するのに用いる第２のビーム関連情報に対応する、
装置。
【請求項１０】
ビームフォーミングを用いてリファレンス信号を送信することと、
ビームに関するビーム関連情報を含むハンドオーバメッセージを、端末装置のハンドオーバのソース基地局から受信することと、
前記ビーム関連情報に基づいて、前記端末装置のアクセス信号を受信することと、
を含む方法。
【発明の詳細な説明】
【技術分野】
【０００１】
本発明は、ビームフォーミングに関連する装置、方法、システム、プログラム及び記録媒体に関する。
【背景技術】
【０００２】
モバイルネットワークの飛躍的な容量拡大を実現するために、現在用いられている数百メガヘルツバンド及び数ギガヘルツバンドの周波数帯域に加え、さらに高い数十ギガヘルツバンドの周波数帯域が利用され得る。特に第５世代（５Ｇ）では、そのようなバンドを活用するために、大量のアンテナを用いて鋭い指向性ビームを形成することにより信号をユーザに伝送することが検討されている。
【０００３】
より高い周波数帯域では、大きな伝搬損失を補償するために、システム情報及びページング情報だけでなく、共通パイロット信号又はリファレンス信号等も含む、全てのダウンリンク信号／ダウンリンクチャネルが、ビームフォーミングを用いて送信されることも考えられる。同様に、アップリンクについても、伝搬損失の補償のために、全てのアップリンク信号／アップリンクチャネルがビームフォーミングを用いて受信されることも考えられる。
【０００４】
例えば、特許文献１には、端末装置のハンドオーバのソース基地局からターゲット基地局へ送信されるハンドオーバ要求メッセージの中にダウンリンクビームＩＤ及びアップリンクビームＩＤを含ませる技術が、開示されている。さらに、特許文献１によれば、ダウンリンクビームＩＤは、ハンドオーバ後に端末装置へのデータを送信するためのダウンリンクビームを指示するために使用され、アップリンクビームＩＤは、ハンドオーバ後に端末装置からのデータを受信するためのアップリンクビームを指示するために使用される。これにより、ハンドオーバの際にビームを選択するための動作を省略することが可能になり、ハンドオーバの遅延が小さくなる。
【先行技術文献】
【特許文献】
【０００５】
【特許文献１】特表２０１４−５３１８５２号公報
【発明の概要】
【発明が解決しようとする課題】
【０００６】
しかし、特許文献１に開示された技術によれば、ハンドオーバ後のデータの送受信では伝搬損失が補償されるが、ハンドオーバにおける端末装置とターゲット基地局との間での制御信号の送受信では伝搬損失は補償されない。特に、端末装置のアクセス信号（例えばランダムアクセスにおけるアップリンク信号）が、大きな伝搬損失に起因してターゲット基地局において受信できなくなり得る。その結果、ハンドオーバの失敗率が上がる可能性がある。
【０００７】
本発明の目的は、ハンドオーバが成功する可能性をより高くすることを可能にすることにある。
【課題を解決するための手段】
【０００８】
本発明の第１の装置は、ビームフォーミングを用いてリファレンス信号を送信する第１通信処理部と、端末装置のハンドオーバのソース基地局からハンドオーバメッセージを受信する第２通信処理部と、を備える。上記ハンドオーバメッセージは、ビームに関するビーム関連情報を含む。上記第１通信処理部は、上記ビーム関連情報に基づいて、上記端末装置のアクセス信号を受信する。
【０００９】
本発明の第２の装置は、ビームに関する第１のビーム関連情報であって、ビームフォーミングを用いてリファレンス信号を送信する基地局についての上記第１のビーム関連情報を、端末装置から受信する第１通信処理部と、上記第１のビーム関連情報に対応する第２のビーム関連情報を含むハンドオーバメッセージを、上記基地局へ送信する第２通信処理部と、を備える。上記第２のビーム関連情報は、上記基地局が上記端末装置のアクセス信号を受信するのに用いる情報である。
【００１０】
本発明の第３の装置は、第１の基地局によりビームフォーミングを用いて送信されるリファレンス信号を受信する受信処理部と、ビームに関する第１のビーム関連情報であって、上記第１の基地局についての上記第１のビーム関連情報を、第２の基地局へ送信する送信処理部と、を備える。上記第１のビーム関連情報は、上記第１の基地局がアクセス信号を受信するのに用いる第２のビーム関連情報に対応する。
【００１１】
本発明の第１の方法は、ビームフォーミングを用いてリファレンス信号を送信することと、ビームに関するビーム関連情報を含むハンドオーバメッセージを、端末装置のハンドオーバのソース基地局から受信することと、上記ビーム関連情報に基づいて、上記端末装置のアクセス信号を受信することと、を含む。
【００１２】
本発明の第２の方法は、ビームに関する第１のビーム関連情報であって、ビームフォーミングを用いてリファレンス信号を送信する基地局についての上記第１のビーム関連情報を、端末装置から受信することと、上記第１のビーム関連情報に対応する第２のビーム関連情報を含むハンドオーバメッセージを、上記基地局へ送信することと、を含む。上記第２のビーム関連情報は、上記基地局が上記端末装置のアクセス信号を受信するのに用いる情報である。
【００１３】
本発明の第３の方法は、第１の基地局によりビームフォーミングを用いて送信されるリファレンス信号を受信することと、ビームに関する第１のビーム関連情報であって、上記第１の基地局についての上記第１のビーム関連情報を、第２の基地局へ送信することと、
を含む。上記第１のビーム関連情報は、上記第１の基地局がアクセス信号を受信するのに用いる第２のビーム関連情報に対応する。
【００１４】
本発明のシステムは、第１の基地局と、第２の基地局と、端末装置と、を含む。上記第１の基地局は、ビームフォーミングを用いてリファレンス信号を送信する。上記端末装置は、上記リファレンス信号を受信し、ビームに関する第１のビーム関連情報であって、上記第１の基地局についての上記第１のビーム関連情報を、上記第２の基地局へ送信する。上記第２の基地局は、上記第１のビーム関連情報に対応する第２のビーム関連情報を含むハンドオーバメッセージを、上記第１の基地局へ送信する。上記第１の基地局は、上記第２のビーム関連情報に基づいて、上記端末装置のアクセス信号を受信する。
【００１５】
本発明の第１のプログラムは、ビームフォーミングを用いてリファレンス信号を送信することと、ビームに関するビーム関連情報を含むハンドオーバメッセージを、端末装置のハンドオーバのソース基地局から受信することと、上記ビーム関連情報に基づいて、上記端末装置のアクセス信号を受信することと、をプロセッサに実行させるためのプログラムである。
【００１６】
本発明の第２のプログラムは、ビームに関する第１のビーム関連情報であって、ビームフォーミングを用いてリファレンス信号を送信する基地局についての上記第１のビーム関連情報を、端末装置から受信することと、上記第１のビーム関連情報に対応する第２のビーム関連情報を含むハンドオーバメッセージを、上記基地局へ送信することと、をプロセッサに実行させるためのプログラムである。上記第２のビーム関連情報は、上記基地局が上記端末装置のアクセス信号を受信するのに用いる情報である。
【００１７】
本発明の第３のプログラムは、第１の基地局によりビームフォーミングを用いて送信されるリファレンス信号を受信することと、ビームに関する第１のビーム関連情報であって、上記第１の基地局についての上記第１のビーム関連情報を、第２の基地局へ送信することと、をプロセッサに実行させるためのプログラムである。上記第１のビーム関連情報は、上記第１の基地局がアクセス信号を受信するのに用いる第２のビーム関連情報に対応する。
【００１８】
本発明の第１の記録媒体は、ビームフォーミングを用いてリファレンス信号を送信することと、ビームに関するビーム関連情報を含むハンドオーバメッセージを、端末装置のハンドオーバのソース基地局から受信することと、上記ビーム関連情報に基づいて、上記端末装置のアクセス信号を受信することと、をプロセッサに実行させるためのプログラムを記録したコンピュータに読み取り可能な非一時的記録媒体である。
【００１９】
本発明の第２の記録媒体は、ビームに関する第１のビーム関連情報であって、ビームフォーミングを用いてリファレンス信号を送信する基地局についての上記第１のビーム関連情報を、端末装置から受信することと、上記第１のビーム関連情報に対応する第２のビーム関連情報を含むハンドオーバメッセージを、上記基地局へ送信することと、をプロセッサに実行させるためのプログラムを記録したコンピュータに読み取り可能な非一時的記録媒体である。上記第２のビーム関連情報は、上記基地局が上記端末装置のアクセス信号を受信するのに用いる情報である。
【００２０】
本発明の第３の記録媒体は、第１の基地局によりビームフォーミングを用いて送信されるリファレンス信号を受信することと、ビームに関する第１のビーム関連情報であって、上記第１の基地局についての上記第１のビーム関連情報を、第２の基地局へ送信することと、
をプロセッサに実行させるためのプログラムを記録したコンピュータに読み取り可能な非一時的記録媒体である。上記第１のビーム関連情報は、上記第１の基地局がアクセス信号を受信するのに用いる第２のビーム関連情報に対応する。
【発明の効果】
【００２１】
本発明によれば、ハンドオーバが成功する可能性をより高くすることが可能になる。なお、本発明により、当該効果の代わりに、又は当該効果とともに、他の効果が奏されてもよい。
【図面の簡単な説明】
【００２２】
【図１】第１の実施形態に係るシステムの概略的な構成の一例を示す説明図である。
【図２】第１の実施形態の第１の基地局の概略的な構成の例を示すブロック図である。
【図３】第１の実施形態の第２の基地局の概略的な構成の例を示すブロック図である。
【図４】第１の実施形態の端末装置の概略的な構成の例を示すブロック図である。
【図５】リファレンス信号が送信される複数のビームの一例を説明するための説明図である。
【図６】リファレンス信号の送信に用いられる無線リソース（時間リソース）の一例を説明するための説明図である。
【図７】端末装置の測定報告の例を説明するための説明図である。
【図８】第１の実施形態に係る処理の概略的な流れの例を説明するためのシーケンス図である。
【図９】リソース情報により示される無線リソースの例を説明するための説明図である。
【図１０】第１の実施形態の第１の変形例の処理の概略的な流れの例を説明するためのシーケンス図である。
【図１１】第１の実施形態の第２の変形例の処理の概略的な流れの例を説明するためのシーケンス図である。
【図１２】第２の実施形態に係るシステムの概略的な構成の一例を示す説明図である。
【図１３】第２の実施形態の第１の基地局の概略的な構成の例を示すブロック図である。
【図１４】第２の実施形態の第２の基地局の概略的な構成の例を示すブロック図である。
【図１５】第２の実施形態の端末装置の概略的な構成の例を示すブロック図である。
【図１６】第２の実施形態の処理の概略的な流れの例を説明するためのシーケンス図である。
【発明を実施するための形態】
【００２３】
以下、添付の図面を参照して本発明の実施形態を詳細に説明する。なお、本明細書及び図面において、同様に説明されることが可能な要素については、同一の符号を付することにより重複説明が省略され得る。
【００２４】
説明は、以下の順序で行われる。
１．本発明の実施形態の概要
２．第１の実施形態
２．１．システムの構成
２．２．基地局１００の構成
２．３．基地局２００の構成
２．４．端末装置３００の構成
２．５．技術的特徴
２．６．変形例
３．第２の実施形態
３．１．システムの構成
３．２．基地局５００の構成
３．３．基地局６００の構成
３．４．端末装置７００の構成
３．５．技術的特徴
【００２５】
＜＜１．本発明の実施形態の概要＞＞
まず、本発明の実施形態の概要を説明する。
【００２６】
（１）技術的課題
モバイルネットワークの飛躍的な容量拡大を実現するために、現在用いられている数百メガヘルツバンド及び数ギガヘルツバンドの周波数帯域に加え、さらに高い数十ギガヘルツバンドの周波数帯域が利用され得る。特に第５世代（５Ｇ）では、そのようなバンドを活用するために、大量のアンテナを用いて鋭い指向性ビームを形成することにより信号をユーザに伝送することが検討されている。
【００２７】
より高い周波数帯域では、大きな伝搬損失を補償するために、システム情報及びページング情報だけでなく、共通パイロット信号又はリファレンス信号等も含む、全てのダウンリンク信号／ダウンリンクチャネルが、ビームフォーミングを用いて送信されることも考えられる。同様に、アップリンクについても、伝搬損失の補償のために、全てのアップリンク信号／アップリンクチャネルがビームフォーミングを用いて受信されることも考えられる。
【００２８】
例えば、特許文献（特表２０１４−５３１８５２号公報）には、端末装置のハンドオーバのソース基地局からターゲット基地局へ送信されるハンドオーバ要求メッセージの中にダウンリンクビームＩＤ及びアップリンクビームＩＤを含ませる技術が、開示されている。さらに、上記特許文献によれば、ダウンリンクビームＩＤは、ハンドオーバ後に端末装置へのデータを送信するためのダウンリンクビームを指示するために使用され、アップリンクビームＩＤは、ハンドオーバ後に端末装置からのデータを受信するためのアップリンクビームを指示するために使用される。これにより、ハンドオーバの際にビームを選択するための動作を省略することが可能になり、ハンドオーバの遅延が小さくなる。
【００２９】
しかし、上記特許文献に開示された技術によれば、ハンドオーバ後のデータの送受信では伝搬損失が補償されるが、ハンドオーバにおける端末装置とターゲット基地局との間での制御信号の送受信では伝搬損失は補償されない。特に、端末装置のアクセス信号（例えばランダムアクセスにおけるアップリンク信号）が、大きな伝搬損失に起因してターゲット基地局において受信できなくなり得る。その結果、ハンドオーバの失敗率が上がる可能性がある。
【００３０】
そこで、ハンドオーバが成功する可能性をより高くすることを可能にすることが望ましい。
【００３１】
（２）技術的特徴
本発明の実施形態では、例えば、第１の基地局（端末装置の周辺に位置する基地局）は、ビームフォーミングを用いてリファレンス信号を送信し、上記端末装置は、当該リファレンス信号の測定を行う。さらに、上記端末装置は、上記第１の基地局についての第１のビーム関連情報（及び測定結果）を、第２の基地局（上記端末装置のサービング基地局）へ送信する。例えば、上記第１のビーム関連情報は、ビームフォーミング重みの複数のセットのうちの１つ（例えば好ましいビームフォーミング重み）を示す。
【００３２】
その後、上記第２の基地局（ソース基地局）から上記第１の基地局（ターゲット基地局）への上記端末装置のハンドオーバが行われる。この場合に、上記第２の基地局（ソース基地局）は、上記第１のビーム関連情報に対応する第２のビーム関連情報（例えば、上記第１のビーム関連情報と同じ情報）を含むハンドオーバメッセージ（例えば、ハンドオーバ要求メッセージ）を、上記第１の基地局（ターゲット基地局）へ送信する。
【００３３】
とりわけ、本発明の実施形態では、上記第１の基地局は、上記第２のビーム関連情報に基づいて、上記端末装置のアクセス信号を受信する。例えば、上記第１の基地局は、上記好ましいビームフォーミング重みを用いて、上記アクセス信号を受信する。
【００３４】
これにより、例えば、アクセス信号の伝搬損失を補償することが可能になる。そのため、ハンドオーバが成功する可能性がより高くなり得る。
【００３５】
なお、上述した技術的特徴は本発明の実施形態の具体的な一例であり、当然ながら、本発明の実施形態は上述した技術的特徴に限定されない。
【００３６】
＜＜２．第１の実施形態＞＞
続いて、図１〜図１１を参照して、本発明の第１の実施形態を説明する。
【００３７】
＜２．１．システムの構成＞
図１を参照して、第１の実施形態に係るシステム１の構成の例を説明する。図１は、第１の実施形態に係るシステム１の概略的な構成の一例を示す説明図である。図１を参照すると、システム１は、基地局１００、基地局２００及び端末装置３００を含む。
【００３８】
例えば、システム１は、３ＧＰＰ（Third  Generation  Partnership  Project）の規格（standard）に準拠したシステムであってもよい。より具体的には、例えば、システム１は、第５世代（５Ｇ）の規格に準拠したシステムであってもよい。
【００３９】
（１）基地局１００
基地局１００は、セル１０（又はカバレッジエリア１０）内に位置する端末装置との無線通信を行う。第１の実施形態では、基地局１００は、ビームフォーミングを用いて無線通信を行う。
【００４０】
とりわけ第１の実施形態では、基地局１００は、ビームフォーミングを用いてリファレンス信号（Reference  Signal：ＲＳ）（＝参照信号／基準信号）を送信する。当該リファレンス信号は、受信強度及び／又は受信品質等の測定（measurements）のための信号であり、例えばＬＴＥ（Long  Term  Evolution）におけるＣＲＳ（Cell-specific  Reference  Signal）又はＣＳＩ−ＲＳ（Channel  State  Information  Reference  Signal）に相当する。上記リファレンス信号も、ＬＴＥと同様に、ＣＲＳ又はＣＳＩ−ＲＳと呼ばれてもよく、又は他の名称（例えば、「ＸＸＸリファレンス信号」（ＸＸＸは任意の言葉）、「パイロット信号」、若しくは、全く異なる他の信号名）で呼ばれてもよい。基地局１００は、ビームフォーミングを用いて全ての種類のリファレンス信号（例えば、ＣＲＳ、ＣＳＩ−ＲＳ、端末個別（UE-specific）ＲＳ、及び／又はＭＢＳＦＮ（Multicast/Broadcast  over  a  Single  Frequency  Network）  ＲＳ等）を送信してもよい。あるいは、基地局１００は、ビームフォーミングを用いて一部の種類のリファレンス信号を送信し、ビームフォーミングを用いずに残りの種類のリファレンス信号を送信してもよい。
【００４１】
基地局１００は、データ及び上記リファレンス信号だけではなく、その他のダウンリンク信号／ダウンリンクチャネル（一例として、全ての信号／チャネル）を、ビームフォーミングを用いて送信してもよい。
【００４２】
なお、基地局１００は、端末装置との無線通信を行うノードであり、換言するとＲＡＮ（Radio  Access  Network）のノードである。例えば、基地局１００は、ＮｏｄｅＢ、Ｈ−ＮｏｄｅＢ（Home  Node  B）、ｅＮｏｄｅＢ（evolved  Node  B）若しくはＨ−ｅＮｏｄｅＢ（Home  evolved  Node  B）であってもよく、又は、５ＧにおけるｇＮｏｄｅＢ（generation  Node  B）であってもよい。基地局１００は、複数のユニット（又は複数のノード）を含んでもよい。当該複数のユニット（又は複数のノード）は、下位のプロトコルレイヤの処理を行う第１ユニット（又は第１ノード）と、上位のプロトコルレイヤの処理を行う第２ユニット（又は第２ノード）とを含んでもよい。一例として、上記第１のユニットは、分散ユニット（Distributed  Unit：ＤＵ）又はアクセスユニット（Access  Unit：ＡＵ）と呼ばれてもよく、上記第２のユニットは、中央ユニット（Center/Central  Unit：ＣＵ）と呼ばれてもよい。別の例として、上記第１のユニットは、無線ユニット（Radio  Unit：ＲＵ）又はリモートユニット（Remote  Unit：ＲＵ）と呼ばれてもよく、上記第２のユニットは、デジタルユニット（Digital  Unit：ＤＵ）と呼ばれてもよい。当該ＲＵは、ＲＲＨ（Remote  Radio  Head）又はＲＲＵ（Remote  Radio  Unit）であってもよく、当該ＤＵは、ＢＢＵ（Base  Band  Unit）であってもよい。当然ながら、上記第１のユニット（又は第１のノード）及び上記第２のユニット（又は第２のノード）の呼称は、この例に限定されない。あるいは、基地局１００は、単一のユニット（又は単一のノード）であってもよい。この場合に、基地局１００は、上記複数のユニットのうちの１つ（例えば、上記第１のユニット及び上記第２のユニットの一方）であってもよく、上記複数のユニットのうちの他のユニット（例えば、上記第１のユニット及び上記第２のユニットの他方）と接続されていてもよい。
【００４３】
（２）基地局２００
基地局２００は、セル２０（又はカバレッジエリア２０）内に位置する端末装置との無線通信を行う。
【００４４】
第１の実施形態では、例えば、基地局２００は、基地局１００と同様に、ビームフォーミングを用いて端末装置との無線通信を行う。あるいは、基地局２００は、基地局１００とは異なる態様で、ビームフォーミングを用いて端末装置との無線通信を行ってもよく、又は、ビームフォーミングを用いずに端末装置との無線通信を行ってもよい。
【００４５】
なお、基地局２００も、基地局１００と同様に、端末装置との無線通信を行うノードであり、換言するとＲＡＮのノードである。
【００４６】
（３）端末装置３００
端末装置３００は、基地局との無線通信を行う。例えば、端末装置３００は、セル１０内に位置する場合に、基地局１００との無線通信を行い、セル２０内に位置する場合に、基地局２００との無線通信を行う。
【００４７】
とりわけ第１の実施形態では、（例えば端末装置３００の移動に起因して）基地局２００から基地局１００への端末装置３００のハンドオーバが行われる。この場合に、基地局２００は、上記ハンドオーバのソース基地局であり、基地局１００は、上記ハンドオーバのターゲット基地局である。
【００４８】
＜２．２．基地局１００の構成＞
次に、図２を参照して、第１の実施形態の基地局１００の構成の例を説明する。図２は、第１の実施形態の基地局１００の概略的な構成の例を示すブロック図である。図２を参照すると、基地局１００は、無線通信部１１０、ネットワーク通信部１２０、記憶部１３０及び処理部１４０を備える。
【００４９】
（１）無線通信部１１０
無線通信部１１０は、信号を無線で送受信する。例えば、無線通信部１１０は、端末装置からの信号を受信し、端末装置への信号を送信する。
【００５０】
（２）ネットワーク通信部１２０
ネットワーク通信部１２０は、バックホールから信号を受信し、バックホールへ信号を送信する。
【００５１】
（３）記憶部１３０
記憶部１３０は、基地局１００の動作のためのプログラム及びパラメータ、並びに様々なデータを、一時的に又は恒久的に記憶する。
【００５２】
（４）処理部１４０
処理部１４０は、基地局１００の様々な機能を提供する。処理部１４０は、第１通信処理部１４１及び第２通信処理部１４３を含む。なお、処理部１４０は、これらの構成要素以外の他の構成要素をさらに含み得る。即ち、処理部１４０は、これらの構成要素の動作以外の動作も行い得る。第１通信処理部１４１及び第２通信処理部１４３の具体的な動作は、後に詳細に説明する。
【００５３】
例えば、処理部１４０（第１通信処理部１４１）は、無線通信部１１０を介して端末装置（例えば、端末装置３００）と通信する。例えば、処理部１４０（第２通信処理部１４３）は、ネットワーク通信部１２０を介して他のネットワークノード（例えば、基地局２００）と通信する。
【００５４】
（５）実装例
無線通信部１１０は、アンテナ及び高周波（Radio  Frequency：ＲＦ）回路等により実装されてもよく、当該アンテナは、指向性アンテナであってもよい。ネットワーク通信部１２０は、ネットワークアダプタ又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他のプロセッサ等により実装されてもよい。第１通信処理部１４１及び第２通信処理部１４３は、同一のプロセッサにより実装されてもよく、別々に異なるプロセッサにより実装されてもよい。上記メモリ（記憶部１３０）は、このようなプロセッサ（チップ）内に含まれてもよい。
【００５５】
基地局１００は、プログラムを記憶するメモリと、当該プログラムを実行可能な１つ以上のプロセッサとを含んでもよく、当該１つ以上のプロセッサは、処理部１４０（第１通信処理部１４１及び第２通信処理部１４３）の動作を行ってもよい。上記プログラムは、処理部１４０（第１通信処理部１４１及び第２通信処理部１４３）の動作を上記１つ以上のプロセッサに実行させるためのプログラムであってもよい。
【００５６】
＜２．３．基地局２００の構成＞
次に、図３を参照して、第１の実施形態の基地局２００の構成の例を説明する。図３は、第１の実施形態の基地局２００の概略的な構成の例を示すブロック図である。図３を参照すると、基地局２００は、無線通信部２１０、ネットワーク通信部２２０、記憶部２３０及び処理部２４０を備える。
【００５７】
（１）無線通信部２１０
無線通信部２１０は、信号を無線で送受信する。例えば、無線通信部２１０は、端末装置からの信号を受信し、端末装置への信号を送信する。
【００５８】
（２）ネットワーク通信部２２０
ネットワーク通信部２２０は、バックホールから信号を受信し、バックホールへ信号を送信する。
【００５９】
（３）記憶部２３０
記憶部２３０は、基地局２００の動作のためのプログラム及びパラメータ、並びに様々なデータを、一時的に又は恒久的に記憶する。
【００６０】
（４）処理部２４０
処理部２４０は、基地局２００の様々な機能を提供する。処理部２４０は、第１通信処理部２４１及び第２通信処理部２４３を含む。なお、処理部２４０は、これらの構成要素以外の他の構成要素をさらに含み得る。即ち、処理部２４０は、これらの構成要素の動作以外の動作も行い得る。第１通信処理部２４１及び第２通信処理部２４３の具体的な動作は、後に詳細に説明する。
【００６１】
例えば、処理部２４０（第１通信処理部２４１）は、無線通信部２１０を介して端末装置（例えば、端末装置３００）と通信する。例えば、処理部２４０（第２通信処理部２４３）は、ネットワーク通信部２２０を介して他のネットワークノード（例えば、基地局１００）と通信する。
【００６２】
（５）実装例
無線通信部２１０は、アンテナ及び高周波（ＲＦ）回路等により実装されてもよく、当該アンテナは、指向性アンテナであってもよい。ネットワーク通信部２２０は、ネットワークアダプタ又はネットワークインタフェースカード等により実装されてもよい。記憶部２３０は、メモリ（例えば、不揮発性メモリ及び／若しくは揮発性メモリ）並びに／又はハードディスク等により実装されてもよい。処理部２４０は、ベースバンド（ＢＢ）プロセッサ及び／又は他のプロセッサ等により実装されてもよい。第１通信処理部２４１及び第２通信処理部２４３は、同一のプロセッサにより実装されてもよく、別々に異なるプロセッサにより実装されてもよい。上記メモリ（記憶部２３０）は、このようなプロセッサ（チップ）内に含まれてもよい。
【００６３】
基地局２００は、プログラムを記憶するメモリと、当該プログラムを実行可能な１つ以上のプロセッサとを含んでもよく、当該１つ以上のプロセッサは、処理部２４０（第１通信処理部２４１及び第２通信処理部２４３）の動作を行ってもよい。上記プログラムは、処理部２４０（第１通信処理部２４１及び第２通信処理部２４３）の動作を上記１つ以上のプロセッサに実行させるためのプログラムであってもよい。
【００６４】
＜２．４．端末装置３００の構成＞
次に、図４を参照して、第１の実施形態の端末装置３００の構成の例を説明する。図４は、第１の実施形態の端末装置３００の概略的な構成の例を示すブロック図である。図４を参照すると、端末装置３００は、無線通信部３１０、記憶部３２０及び処理部３３０を備える。
【００６５】
（１）無線通信部３１０
無線通信部３１０は、信号を無線で送受信する。例えば、無線通信部３１０は、基地局からの信号を受信し、基地局への信号を送信する。
【００６６】
（２）記憶部３２０
記憶部３２０は、端末装置３００の動作のためのプログラム及びパラメータ、並びに様々なデータを、一時的に又は恒久的に記憶する。
【００６７】
（３）処理部３３０
処理部３３０は、端末装置３００の様々な機能を提供する。処理部３３０は、受信処理部３３１及び送信処理部３３３を含む。なお、処理部３３０は、これらの構成要素以外の他の構成要素をさらに含み得る。即ち、処理部３３０は、これらの構成要素の動作以外の動作も行い得る。受信処理部３３１及び送信処理部３３３の具体的な動作は、後に詳細に説明する。
【００６８】
例えば、処理部３３０は、無線通信部３１０を介して基地局（例えば、基地局１００及び／又は基地局２００）と通信する。
【００６９】
（４）実装例
無線通信部３１０は、アンテナ及び高周波（ＲＦ）回路等により実装されてもよい。記憶部３２０は、メモリ（例えば、不揮発性メモリ及び／若しくは揮発性メモリ）並びに／又はハードディスク等により実装されてもよい。処理部３３０は、ベースバンド（ＢＢ）プロセッサ及び／又は他のプロセッサ等により実装されてもよい。受信処理部３３１及び送信処理部３３３は、同一のプロセッサにより実装されてもよく、別々に異なるプロセッサにより実装されてもよい。上記メモリ（記憶部３２０）は、このようなプロセッサ（チップ）内に含まれてもよい。
【００７０】
端末装置３００は、プログラムを記憶するメモリと、当該プログラムを実行可能な１つ以上のプロセッサとを含んでもよく、当該１つ以上のプロセッサは、処理部３３０（受信処理部３３１及び送信処理部３３３）の動作を行ってもよい。上記プログラムは、処理部３３０（受信処理部３３１及び送信処理部３３３）の動作を上記１つ以上のプロセッサに実行させるためのプログラムであってもよい。
【００７１】
＜２．５．技術的特徴＞
次に、図５〜図８を参照して、第１の実施形態の技術的特徴を説明する。
【００７２】
第１の実施形態では、基地局１００（第１通信処理部１４１）は、ビームフォーミングを用いてリファレンス信号を送信する。端末装置３００（受信処理部３３１）は、当該リファレンス信号を受信する。例えば、基地局１００は、端末装置３００にとっての周辺基地局であり、端末装置３００にとってのサービング基地局は、基地局２００である。
【００７３】
また、端末装置３００（送信処理部３３３）は、ビームに関する第１のビーム関連情報であって、基地局１００についての当該第１のビーム関連情報を、基地局２００へ送信し、基地局２００（第１通信処理部２４１）は、当該第１のビーム関連情報を端末装置３００から受信する。
【００７４】
さらに、基地局２００（ソース基地局）から基地局１００（ターゲット）への端末装置３００のハンドオーバが行われる。基地局２００（第２通信処理部２４３）は、上記第１のビーム関連情報に対応する第２のビーム関連情報を含むハンドオーバメッセージ（例えば、ハンドオーバ要求メッセージ）を、基地局１００へ送信し、基地局１００（第２通信処理部１４３）は、基地局２００から当該ハンドオーバメッセージを受信する。
【００７５】
とりわけ第１の実施形態では、基地局１００（第１通信処理部１４１）は、上記第２のビーム関連情報に基づいて、端末装置３００のアクセス信号を受信する。
【００７６】
（１）リファレンス信号の送信
−複数のビーム
例えば、基地局１００（第１通信処理部１４１）は、複数のビームによりリファレンス信号を送信する。当該複数のビームは、基地局１００が信号を送信するビーム（又は基地局１００が信号を送信するために形成するビーム）とも言える。上記複数のビームは、互いに異なる方向を向いたビームである。ここでのビームとは、指向性ビームを意味し、例えば、ビームフォーミング重み（beamforming  weights）のセットを信号に乗算し、指向性アンテナを用いて乗算後の信号を送信することにより、形成される。以下、図５を参照して、当該複数のビームの具体例を説明する。
【００７７】
図５は、リファレンス信号が送信される複数のビームの一例を説明するための説明図である。図５を参照すると、基地局１００、セル１０及び１６個のビーム１１（ビーム１１Ａ〜１１Ｐ）が示されている。例えばこのように、基地局１００は、１６個のビーム１１によりリファレンス信号を送信する。一例として、各ビームは、ビームインデックス（又は重みインデックス）により識別される。例えば、ビーム１１Ａは、＃０というインデックスにより識別され、ビーム１１Ｊは、＃９というインデックスにより識別される。
【００７８】
−無線リソース
例えば、基地局１００（第１通信処理部１４１）は、ビームごとに異なる無線リソースを用いて、上記複数のビームによりリファレンス信号を送信する。
【００７９】
第１の例として、上記無線リソースは、時間リソースである。即ち、基地局１００は、ビームごとに異なる時間リソースを用いて、上記複数のビームによりリファレンス信号を送信する。
【００８０】
図６は、リファレンス信号の送信に用いられる無線リソース（時間リソース）の一例を説明するための説明図である。図６を参照すると、時間方向に並ぶ１６個のタイムスロット（タイムスロット＃０〜＃１５）が示されている。この例では、１６個のタイムスロットを含むビームサーチ期間３０内で、１６個のビームによりリファレンス信号が送信される。例えば、タイムスロット＃０内では、ビーム＃０（ビーム１１Ａ）によりリファレンス信号が送信され、タイムスロット＃１内では、ビーム＃１（ビーム１１Ｂ）によりリファレンス信号が送信される。同様に、タイムスロット＃９内では、ビーム＃９（ビーム１１Ｊ）によりリファレンス信号が送信される。この例では、ビームによりリファレンス信号が送信されるタイムスロットが連続しているが、当該タイムスロットは連続していなくてもよく離散していてもよい。なお、ここでのタイムスロットは、サブフレームと呼ばれてもよく、又は単にスロットと呼ばれてもよい。
【００８１】
第２の例として、上記無線リソースは、周波数リソースであってもよい。即ち、基地局１００は、ビームごとに異なる周波数リソースを用いて、上記複数のビームによりリファレンス信号を送信してもよい。例えば、基地局１００は、周波数帯域内の第１の帯域（例えば１以上のリソースブロック幅をもつ帯域）内では、ビーム＃０（ビーム１１Ａ）によりリファレンス信号を送信し、当該周波数帯域内の第２の帯域内では、ビーム＃１（ビーム１１Ｂ）によりリファレンス信号を送信してもよい。あるいは、基地局１００は、周波数帯域に含まれるブロック帯域（例えばリソースブロック幅の帯域）内の第１のキャリア（例えば１つ以上のサブキャリア）を用いて、ビーム＃０（ビーム１１Ａ）によりリファレンス信号を送信し、当該ブロック帯域内の第２のキャリアを用いて、ビーム＃１（ビーム１１Ｂ）によりリファレンス信号を送信してもよい。
【００８２】
第３の例として、上記無線リソースは、時間周波数リソースであってもよい。即ち、基地局１００は、ビームごとに異なる時間周波数リソースを用いて、上記複数のビームによりリファレンス信号を送信してもよい。例えば、基地局１００は、第１の時間周波数リソース（例えば１つ以上のリソースエレメント）を用いて、ビーム＃０（ビーム１１Ａ）によりリファレンス信号を送信し、第２の時間周波数リソースを用いて、ビーム＃１（ビーム１１Ｂ）によりリファレンス信号を送信してもよい。
【００８３】
これにより、例えば、基地局１００がビームに共通のリファレンス信号を送信する場合でも、リファレンス信号の送信に用いられるビームを端末装置が識別することが可能になる。
【００８４】
ビームと無線リソースとの関係は、（例えば規格において）固定的に定められていてもよく、あるいはオペレータ又はネットワークにより構成（configure）されてもよい。
【００８５】
なお、基地局１００（第１通信処理部１４１）は、ビームごとに異なる無線リソースを用いる代わりに、ビームごとに異なるリファレンス信号を送信してもよい。これにより、リファレンス信号の送信に用いられるビームが端末装置により識別され得る。
【００８６】
（２）測定報告（measurement  report）
例えば、端末装置３００（受信処理部３３１）は、基地局１００によりビームフォーミングを用いて送信されるリファレンス信号の測定（measurements）を行う。
【００８７】
例えば、端末装置３００（送信処理部３３３）は、測定報告を基地局２００へ送信する。当該測定報告は、基地局１００によりビームフォーミングを用いて送信されるリファレンス信号の測定結果を含む。とりわけ、当該測定報告は、さらに上記第１のビーム関連情報を含む。
【００８８】
より具体的には、例えば、端末装置３００は、各ビームにより送信されるリファレンス信号の測定を行い、最良の測定結果（例えば、最高の受信電力又は受信品質）を伴うビームを選択する。換言すると、端末装置３００は、好ましいビームフォーミング重み（preferred  beamforming  weight）を選択する。そして、端末装置３００は、選択された当該ビームに関する第１のビーム関連情報と上記最良の測定結果とを含む測定報告を、基地局２００へ送信する。
【００８９】
図７は、端末装置３００の測定報告の例を説明するための説明図である。図７を参照すると、基地局１００及び端末装置３００が示されている。例えば、端末装置３００は、各ビームにより送信されるリファレンス信号の測定を行い、最良の測定結果を伴うビーム＃９（ビーム１１Ｊ）を選択する。そして、端末装置３００は、ビーム＃９（ビーム１１Ｊ）に関する第１のビーム関連情報（例えば、＃９というビームインデックス／重みインデックス）と上記最良の測定結果とを含む測定報告を、基地局２００へ送信する。
【００９０】
これにより、例えば、基地局２００は測定報告を通じて基地局１００についての第１のビーム関連情報を取得することが可能になる。
【００９１】
（３）ハンドオーバメッセージ
上述したように、基地局２００（ソース基地局）は、上記第２のビーム関連情報を含むハンドオーバメッセージを基地局１００（ターゲット基地局）へ送信する。当該ハンドオーバメッセージは、基地局２００から基地局１００へ直接的に送信されてもよく（例えばＸ２ハンドオーバのケース）、又は、コアネットワークを介して基地局２００から基地局１００へ送信されてもよい（例えばＳ１ハンドオーバのケース）。
【００９２】
例えば、上記ハンドオーバメッセージは、ハンドオーバ要求（HANDOVER  REQUEST）メッセージである。以降、上記ハンドオーバメッセージがハンドオーバ要求メッセージであるものとして、第１の実施形態の例を説明する。しかしながら、第１の実施形態では、ハンドオーバ要求メッセージに限られず、ハンドオーバ手続きにおいてソース基地局からターゲット基地局へ送信される他のメッセージが使用されてもよい。
【００９３】
（４）ビーム関連情報
−第１のビーム関連情報と第２のビーム関連情報との関係
上述したように、上記第２のビーム関連情報は、上記第１のビーム関連情報に対応する。
【００９４】
例えば、上記第２のビーム関連情報は、上記第１のビーム関連情報と同一の情報である。即ち、基地局２００は、端末装置３００から受信した上記第１のビーム関連情報と同一の第２のビーム関連情報をハンドオーバ要求メッセージに含め、当該ハンドオーバ要求メッセージを基地局１００へ送信する。
【００９５】
あるいは、上記第２のビーム関連情報は、上記第１のビーム関連情報とは異なる情報であってもよい。例えば、基地局２００は、上記第１のビーム関連情報を上記第２のビーム関連情報に変換し、当該第２のビーム関連情報を含むハンドオーバ要求メッセージを基地局１００へ送信してもよい。
【００９６】
−ビーム関連情報の例
上記ビーム関連情報（上記第１のビーム関連情報及び上記第２のビーム関連情報）は、ビームに関する情報である。ビームは、ビームフォーミング重み（ビームフォーミング重みのセット）を用いて形成されるので、ビームと、ビームフォーミング重みのセットとは、１対１で互いに対応し得る。そのため、上記ビーム関連情報は、ビームフォーミング重みに関する情報（例えば、重み関連情報）とも言える。
【００９７】
上記ビーム関連情報は、基地局１００についての情報である。例えば、上記ビーム関連情報は、基地局１００のビーム（基地局１００が信号の送信に用いるビーム）に関する情報である。
【００９８】
例えば、上記ビーム関連情報は、複数のビームのうちの１つに関する情報である。具体的には、例えば、上記ビーム関連情報は、上記複数のビームのうちの１つを示す情報であり、換言すると、上記複数のビームのうちの１つの識別を可能にする情報（例えばビーム識別情報）である。一例として、上記ビーム関連情報は、ビームインデックスである。あるいは、上記ビーム関連情報は、ビームフォーミング重みの複数のセットのうちの１つを示す情報であってもよく、換言すると、上記複数のセットのうちの１つの識別を可能にする情報（例えば重み識別情報）であってもよい。一例として、上記ビーム関連情報は、重みインデックスであってもよい。ビームは、ビームフォーミング重みのセットを用いて形成されるので、ビームと、ビームフォーミング重みのセットとは、１対１で互いに対応し得る。そのため、上記ビーム関連情報は、上記複数のビームのうちの１つを示す情報（ビームインデックス）であり、且つ、上記複数のセットのうちの１つを示す上記情報（重みインデックス）であってもよい。即ち、ビームインデックスと重みインデックスとは、呼び方が異なるが、同一のインデックスであってもよい。当然ながら、上記ビーム関連情報は、ビーム又はビームフォーミング重みのセットの識別を可能にする他の名称の情報（ビームＩＤ、重みＩＤ、ビームフォーミングインデックス、又はビームフォーミングＩＤ等）であってもよい。
【００９９】
（５）アクセス信号の受信
とりわけ第１の実施形態では、基地局１００（第１通信処理部１４１）は、上記第２のビーム関連情報に基づいて、端末装置３００のアクセス信号を受信する。
【０１００】
例えば、基地局１００（第１通信処理部１４１）は、上記第２のビーム関連情報に対応する、ビームフォーミング重みのセットを用いて、上記アクセス信号を受信する。具体的には、例えば、上記第２のビーム関連情報は、ビームインデックス又は重みインデックスであり、基地局１００は、ビームインデックス又は重みインデックスからビームフォーミング重みのセットを識別する。そして、基地局１００は、当該ビームフォーミング重みのセットを用いて、上記アクセス信号を受信する。即ち、基地局１００は、上記アクセス信号に上記ビームフォーミング重みのセットを乗算することにより、アップリンクのビームフォーミング処理を行う。
【０１０１】
上記アクセス信号は、アイドル状態（例えば、ＲＲＣ＿Ｉｄｌｅ）からアクティブ状態又は接続状態（例えば、ＲＲＣ＿Ｃｏｎｎｅｃｔｅｄ）に遷移するためのイニシャルアクセス、又はハンドオーバ実行時のターゲットセルへのアクセスに使用されるアップリンク信号であってもよい。あるいは、上記アクセス信号は、無線接続の回復（recovery）のための無線接続の再確立（RRC  Connection  Re-establishment）におけるアップリンク信号でもよい。上記アップリンク信号は、ランダムアクセス信号（例えば、ランダムアクセスプリアンブル信号）、アップリンクデータチャネル（例えば、ＰＵＳＣＨ（Physical  Uplink  Shared  Channel））において送信される制御信号、又は、アップリンク制御チャネル（例えば、ＰＵＣＣＨ（Physical  Uplink  Control  Channel））において送信される制御信号であってもよい。第１の実施形態のシステム１では、特許文献（特表２０１４−５３１８５２号公報）に開示されている技術とは異なり、端末装置３００は、（レンジング及びその応答により）基地局１００との通信を予め行わず、アクセス信号により基地局１００との通信を開始する。そのため、アクセス信号の受信の成功が非常に重要である。
【０１０２】
このように、上記第２のビーム関連情報を用いてアクセス信号の受信を行うことにより、例えば、当該信号の伝搬損失が補償され、その結果、当該アクセス信号の受信が成功する可能性が高くなる。そのため、ハンドオーバが成功する可能性がより高くなり得る。
【０１０３】
なお、例えば、アップリンク用のビームフォーミング重みのセットは、ダウンリンク用のビームフォーミング重みのセットと同一である。あるいは、アップリンク用のビームフォーミング重みのセットは、ダウンリンク用のビームフォーミング重みのセットとは異なってもよい。
【０１０４】
（６）処理の流れ
図８を参照して、第１の実施形態に係る処理の例を説明する。図８は、第１の実施形態に係る処理の概略的な流れの例を説明するためのシーケンス図である。
【０１０５】
端末装置３００は、基地局１００によりビームフォーミングを用いて送信されるリファレンス信号の測定を行い、好ましいビームフォーミング重みを選択する。そして、端末装置３００は、当該好ましいビームフォーミング重みを示す重みインデックスを含む測定報告を基地局２００（サービング基地局）へ送信する（Ｓ４０１）。当該測定報告は、上記リファレンス信号の測定結果を含む。
【０１０６】
その後、基地局２００（ソース基地局）から基地局１００（ターゲット基地局）への端末装置３００のハンドオーバが決定され、基地局２００は、上記好ましいビームフォーミング重みを示す重みインデックスを含むハンドオーバ要求メッセージを、基地局１００へ送信する（Ｓ４０３）。
【０１０７】
基地局１００は、上記ハンドオーバ要求メッセージに含まれる上記重みインデックスを取得し、ハンドオーバの指示に相当するＲＲＣレイヤのハンドオーバコマンド(HandoverCommand)メッセージを含むハンドオーバ要求確認応答（HANDOVER  REQUEST  ACKNOWLEDGE）メッセージ  を基地局２００へ送信する（Ｓ４０５）。
【０１０８】
基地局２００は、当該ハンドオーバコマンド（HandoverCommand）メッセージを含むＲＲＣ信号（例えば、RRCConnectionReconfiguration  message）を端末装置３００へ送信する（Ｓ４０７）。
【０１０９】
端末装置３００は、アクセス信号を基地局１００へ送信する（Ｓ４０９）。基地局１００は、上記重みインデックスに基づいて、当該アクセス信号を受信する。即ち、基地局１００は、上記重みインデックスにより示されるビームフォーミング重みを用いて、上記アクセス信号を受信する。
【０１１０】
なお、上述した処理の流れの例は、あくまで概略的なものであり、当然ながら、第１の実施形態では、上述したステップＳ４０１〜Ｓ４０９以外の送受信も行われ得る。
【０１１１】
（７）「送信する」の意味
ここでの「送信する」とは、例えば、複数のプロトコルレイヤのうちの少なくとも１つのプロトコルレイヤにおける送信処理を行うことを意味し、有線又は無線で信号を出力することを意味しない。同様に、ここでの「受信する」とは、例えば、複数のプロトコルレイヤのうちの少なくとも１つのプロトコルレイヤにおける受信処理を行うことを意味する。一例として、当該複数のプロトコルレイヤは、物理レイヤ、ＭＡＣ（Media  Access  Control）レイヤ、ＲＬＣ（Radio  Link  Control）レイヤ、ＰＤＣＰ（Packet  Data  Convergence  Protocol）レイヤ及びＲＲＣ（Radio  Resource  Control）レイヤである。別の例として、上記複数のプロトコルレイヤは、物理レイヤ、ＭＡＣレイヤ、ＩＰ（Internet  Protocol）レイヤ及びトランスポートレイヤである。
【０１１２】
また、ここでの「ＸをＹへ送信する」とは、ＸをＹへ直接的に送信することに限られず、ＸをＹへ間接的に送信すること（即ち、Ｘを他のノードへ送信し、当該他のノードによる転送を経てＸがＹへ送信されること）を含む。同様に、ここでの「ＸをＹから受信する」とは、ＸをＹから直接的に受信することに限られず、ＸをＹから間接的に受信すること（即ち、Ｙにより送信されたＸを他のノードによる転送を経て受信すること）を含む。
【０１１３】
＜２．６．変形例＞
次に、図９〜図１１を参照して、第１の実施形態の変形例を説明する。
【０１１４】
（１）第１の変形例
−リソース情報
第１の実施形態の第１の変形例では、例えば、基地局１００（第２通信処理部１４３）は、上記アクセス信号を送信するための無線リソースを示すリソース情報を基地局２００へ送信し、基地局２００（第２通信処理部２４３）は、当該リソース情報を受信する。
【０１１５】
そして、基地局２００（第１通信処理部２４１）は、上記リソース情報を端末装置３００へ送信し、端末装置３００（受信処理部３３１）は、上記リソース情報を受信する。
【０１１６】
その後、端末装置３００（送信処理部３３３）は、上記リソース情報に基づいて、アクセス信号を基地局１００へ送信する。即ち、端末装置３００（送信処理部３３３）は、上記リソース情報により示される無線リソースを用いて、アクセス信号を基地局１００へ送信する。基地局１００は、（上記第２のビーム関連情報に基づいて）当該無線リソースを用いて送信される上記アクセス信号を受信する。
【０１１７】
これにより、例えば、基地局１００は、端末装置３００のアクセス信号をより容易に受信することが可能になる。
【０１１８】
上記リソース情報は、専用ランダムアクセスチャネルリソース情報（Dedicated  RACH  Resource  Information）と呼ばれてもよい。
【０１１９】
−無線リソース
例えば、上記無線リソースは、上記第２のビーム関連情報に対応するビーム又はビームフォーミング重みのセットのための無線リソースである。
【０１２０】
より具体的には、例えば、ビームごと又はビームフォーミング重みのセットごとに、アクセス用の無線リソースが用意される。例えば、上記第２のビーム関連情報は、ビーム又はビームフォーミング重みのセットを示し、上記リソース情報により示される上記無線リソースは、当該ビーム又は当該ビームフォーミング重みのセットのための無線リソースである。
【０１２１】
図９は、リソース情報により示される無線リソースの例を説明するための説明図である。図９を参照すると、各無線フレーム（Radio  Frame）に含まれるＮタイムスロットが示されている。この例では、各タイムスロットに、アクセス用の無線リソースが用意されている。例えば、タイムスロット＃０は、ビーム＃０のアクセス用の無線リソースである。この場合に、基地局１００は、タイムスロット＃０では、ビームインデックス（又は重みインデックス）＃０により識別されるビームフォーミング重みのセットを用いて、アクセス信号を受信する。例えば、タイムスロット＃Ｎ−１は、ビーム＃１５のアクセス用の無線リソースである。この場合に、基地局１００は、タイムスロット＃Ｎ−１では、ビームインデックス（又は重みインデックス）＃１５により識別されるビームフォーミング重みのセットを用いて、アクセス信号を受信する。
【０１２２】
これにより、例えば、基地局１００は、端末装置３００のアクセス信号をさらに容易に受信することが可能になる。なぜならば、基地局１００は、アクセス信号の受信において、様々なビームフォーミング重みのセットを用いる必要はなく、特定のビームフォーミング重みのセットのみを用いればよいからである。
【０１２３】
−再送周期情報
例えば、基地局１００（第２通信処理部１４３）は、上記リソース情報とともに、上記アクセス信号の再送周期を示す再送周期情報を基地局２００へ送信し、基地局２００（第２通信処理部２４３）は、当該再送周期情報を受信する。
【０１２４】
そして、基地局２００（第１通信処理部２４１）は、上記再送周期情報を端末装置３００へ送信し、端末装置３００（受信処理部３３１）は、上記再送周期情報を受信する。
【０１２５】
その後、端末装置３００（送信処理部３３３）は、上記再送周期情報に基づいて、アクセス信号を基地局１００局へ再送する。即ち、端末装置３００（送信処理部３３３）は、上記再送周期情報により示される再送周期で、アクセス信号を基地局１００へ再送する。
【０１２６】
これにより、例えば、基地局１００は、再送されるアクセス信号もより容易に受信することが可能になる。
【０１２７】
当該再送周期情報は、ランダムアクセスチャネル再送周期情報（RACH  Retransmit  Period  Information）と呼ばれてもよい。
【０１２８】
−メッセージ
例えば、基地局１００（第２通信処理部１４３）は、上記ハンドオーバ要求メッセージへの応答メッセージを基地局２００へ送信し、基地局２００（第２通信処理部２４３）は、当該応答メッセージを受信する。当該応答メッセージは、基地局１００から基地局２００へ直接的に送信されてもよく（例えばＸ２ハンドオーバのケース）、又は、コアネットワークを介して基地局１００から基地局２００へ送信されてもよい（例えばＳ１ハンドオーバのケース）。とりわけ、当該応答メッセージが、上記リソース情報及び上記再送周期情報を含む。具体的には、例えば、当該応答メッセージは、ハンドオーバ要求確認応答（HANDOVER  REQUEST  ACKNOWLEDGE）メッセージである。さらに、例えば、当該ハンドオーバ要求確認応答メッセージは、ＲＲＣコンテナ（Container）を含み、当該ＲＲＣコンテナは、ハンドオーバコマンド(HandoverCommand)メッセージを含む。さらに、例えば、当該ハンドオーバコマンドメッセージは、ＲＲＣ接続再構成（RRCConnectionReconfiguration）メッセージを含み、当該ＲＲＣ接続再構成メッセージが、上記リソース情報及び上記再送周期情報を含む。当然ながら、第１の実施形態はこの例に限られず、上記応答メッセージは、別の形で上記リソース情報及び上記再送周期情報を含んでもよい。
【０１２９】
例えば、基地局２００（第１通信処理部２４１）は、（上記応答メッセージに含まれる）ハンドオーバコマンドメッセージを端末装置３００へ送信（転送）し、端末装置３００（受信処理部３３１）は、当該ハンドオーバコマンドメッセージを受信する。上述したように、当該ハンドオーバコマンドメッセージが、上記リソース情報及び上記再送周期情報を含む。
【０１３０】
−処理の流れ
図１０は、第１の実施形態の第１の変形例の処理の概略的な流れの例を説明するためのシーケンス図である。図１０に示されるステップＳ４２１、Ｓ４２３についての説明は、例えば、図８に示されるステップＳ４０１、Ｓ４０３についての説明と同じである。よって、ここでは重複する説明を省略し、ステップＳ４２５、Ｓ４２７、Ｓ４２９のみを説明する。
【０１３１】
基地局１００は、ハンドオーバ要求メッセージに含まれる重みインデックスを取得する。そして、基地局１００は、当該重みインデックスにより示されるビームフォーミング重みのセットのための無線リソースを示す専用ＲＡＣＨリソース情報を生成する。その後、基地局１００は、当該専用ＲＡＣＨリソース情報を含むハンドオーバコマンドメッセージをハンドオーバ要求確認応答メッセージの中で基地局２００へ送信する（Ｓ４２５）。当該ハンドオーバコマンドメッセージは、ＲＡＣＨ再送周期情報をさらに含んでもよい。
【０１３２】
基地局２００は、上記ハンドオーバコマンドメッセージを端末装置３００へ転送する（Ｓ４２７）。
【０１３３】
端末装置３００は、上記専用ＲＡＣＨリソース情報により示される無線リソースを用いて、アクセス信号を基地局１００へ送信する（Ｓ４２９）。基地局１００は、上記重みインデックスに基づいて、上記無線リソースを用いて送信される上記アクセス信号を受信する。即ち、基地局１００は、上記重みインデックスにより示されるビームフォーミング重みのセットを用いて、上記無線リソース（当該ビームフォーミング重みのセットのための無線リソース）を用いて送信される上記アクセス信号を受信する。なお、再送が必要な場合には、端末装置３００は、上記ＲＡＣＨ再送周期情報により示される再送周期で、アクセス信号を基地局１００へ再送する。
【０１３４】
なお、上述した処理の流れの例は、あくまで概略的なものであり、当然ながら、第１の実施形態の第１の変形例では、上述したステップＳ４２１〜Ｓ４２９以外の送受信も行われ得る。
【０１３５】
−代替手法
上述した例では、基地局１００が、上記アクセス信号を送信するための無線リソースを示すリソース情報を基地局２００へ送信し、基地局２００は、当該リソース情報を受信する。しかし、第１の変形例はこの例に限定されない。
【０１３６】
基地局１００が、上記リソース情報を基地局２００へ送信する代わりに、基地局２００（第１通信処理部２４１）が、上記リソース情報を生成してもよい。この場合に、基地局２００は、上記リソース情報の生成に必要な情報（例えば、ビームごとの無線リソースを示す情報）を、基地局１００から予め受信してもよい。
【０１３７】
これにより、例えば、基地局１００と基地局２００との間で送受信される情報の量をより少なくすることが可能になる。
【０１３８】
（２）第２の変形例
第１の実施形態の第２の変形例では、例えば、基地局１００（第２通信処理部１４３）は、基地局１００のビームフォーミングのコンフィギュレーションに関するビームフォーミングコンフィギュレーション情報を、基地局２００へ送信する。そして、基地局２００（第２通信処理部２４３）は、上記ビームフォーミングコンフィギュレーション情報を受信する。
【０１３９】
さらに、基地局２００（第１通信処理部２４１）は、上記ビームフォーミングコンフィギュレーション情報を端末装置３００へ送信し、端末装置３００（受信処理部３３１）は、上記ビームフォーミングコンフィギュレーション情報を受信する。
【０１４０】
そして、端末装置３００（受信処理部３３１）は、上記ビームフォーミングコンフィギュレーション情報に基づいて、基地局１００によりビームフォーミングを用いて送信されるリファレンス信号を受信する。例えば、端末装置３００（受信処理部３３１）は、上記ビームフォーミングコンフィギュレーション情報に基づいて、当該リファレンス信号の測定を行う。
【０１４１】
これにより、例えば、基地局又はセルに適したビームフォーミングのコンフィギュレーションを用いることが可能になり、また、端末装置３００が当該コンフィギュレーションに応じた受信／測定を行うことが可能になる。
【０１４２】
−コンフィギュレーション情報
例えば、上記ビームフォーミングコンフィギュレーション情報は、ビームの数を示すビーム数情報を含む。図５の例では、当該ビーム数情報は、ビーム数として１６を示す。これにより、例えば、セルの特性（例えば大きさ）に応じた数のビームを用いることが可能になる。
【０１４３】
例えば、上記ビームフォーミングコンフィギュレーション情報は、リファレンス信号を送信するためのビームごとの無線リソースを示すビームリソース情報を含む。例えば図６を参照して説明したように、当該無線リソースは、ビームごとの時間リソースである。この場合に、例えば、上記ビームリソース情報は、時間方向における周期及びオフセットを含む。あるいは、上記無線リソースは、ビームごとの周波数リソースであってもよい。この場合に、上記ビームリソース情報は、周波数方向における周期及びオフセットを含んでもよい。あるいは、上記無線リソースは、ビームごとの時間周波数リソースであってもよい。この場合に、上記ビームリソース情報は、無線リソースのパターンを示す情報であってもよい。これにより、例えば、ビームフォーミングを用いたリファレンス信号の送信に用いる無線リソースをより柔軟に設定することが可能になる。
【０１４４】
−メッセージ
例えば、基地局１００（第２通信処理部１４３）は、基地局１００と基地局２００との間のインタフェースのセットアップの際に、上記ビームフォーミングコンフィギュレーション情報を基地局２００へ送信する。そして、基地局２００（第２通信処理部２４３）は、上記ビームフォーミングコンフィギュレーション情報を受信する。
【０１４５】
具体的には、例えば、基地局１００（第２通信処理部１４３）は、Ｘ２セットアップ要求（X2  SETUP  REQUEST）メッセージ又はＸ２セットアップ応答（X2  SETUP  RESPONSE）メッセージを基地局２００へ送信する。そして、基地局２００（第２通信処理部２４３）は、当該Ｘ２セットアップリクエストメッセージ又は当該Ｘ２セットアップ応答メッセージを受信する。とりわけ、当該Ｘ２セットアップリクエストメッセージ又は当該Ｘ２セットアップ応答メッセージが、上記ビームフォーミングコンフィギュレーション情報を含む。
【０１４６】
例えば、基地局２００（第１通信処理部２４１）は、測定コンフィギュレーション（measurement  configuration）を端末装置３００へ送信し、端末装置３００（受信処理部３３１）は、当該測定コンフィギュレーションを受信する。とりわけ、上記測定コンフィギュレーションが、上記ビームフォーミングコンフィギュレーション情報を含む。
【０１４７】
−処理の流れ
図１１は、第１の実施形態の第２の変形例の処理の概略的な流れの例を説明するためのシーケンス図である。図１１に示されるステップＳ４４９〜Ｓ４５５についての説明は、例えば、図８に示されるステップＳ４０３〜Ｓ４０９についての説明と同じである。よって、ここでは重複する説明を省略し、ステップＳ４４１〜Ｓ４４７のみを説明する。
【０１４８】
基地局２００は、Ｘ２セットアップ要求メッセージを基地局１００へ送信し（Ｓ４４１）、これに応じて、基地局１００は、Ｘ２セットアップ応答メッセージを基地局２００へ送信する（Ｓ４４３）。当該Ｘ２セットアップ応答メッセージは、基地局１００のビームフォーミングのコンフィギュレーションに関するビームフォーミングコンフィギュレーション情報を含む。
【０１４９】
さらに、基地局２００は、上記ビームフォーミングコンフィギュレーション情報を含む測定コンフィギュレーションを端末装置３００へ送信する（Ｓ４４５）。
【０１５０】
端末装置３００は、上記ビームフォーミングコンフィギュレーション情報に基づいて、基地局１００によりビームフォーミングを用いて送信されるリファレンス信号の測定を行い、好ましいビームフォーミング重みを選択する。そして、端末装置３００は、当該好ましいビームフォーミング重みを示す重みインデックスを含む測定報告を基地局２００（サービング基地局）へ送信する（Ｓ４４７）。当該測定報告は、上記リファレンス信号の測定結果を含む。
【０１５１】
（３）第３の変形例
端末装置３００のハンドオーバの失敗時に、端末装置３００が同じターゲットセルへの再接続を試みるときにも、第１の実施形態の上述した例と同様に、基地局１００（第１通信処理部１４１）は、上記第２のビーム関連情報に基づいて、端末装置３００のアクセス信号を受信してもよい。
【０１５２】
また、端末装置３００のハンドオーバの失敗時に、端末装置３００が同じターゲットセルへの再接続を試みるときにも、第１の実施形態の第１の変形例と同様に、端末装置３００（送信処理部３３３）は、上記リソース情報に基づいて、アクセス信号を基地局１００へ送信してもよい。
【０１５３】
以上、第１の実施形態の変形例を説明した。なお、第１〜第３の変形例のうちの２つ以上が組合せられてもよい。即ち、第１〜第３の変形例のうちの２つ以上の技術的特徴の組合せが導入されてもよい。
【０１５４】
＜＜３．第２の実施形態＞＞
続いて、図１２〜図１６を参照して、本発明の第２の実施形態を説明する。上述した第１の実施形態は、具体的な実施形態であるが、第２の実施形態は、より一般化された実施形態である。
【０１５５】
＜３．１．システムの構成＞
図１２を参照して、第２の実施形態に係るシステム２の構成の例を説明する。図１２は、第２の実施形態に係るシステム２の概略的な構成の一例を示す説明図である。図１２を参照すると、システム２は、基地局５００、基地局６００及び端末装置７００を含む。
【０１５６】
例えば、システム２は、３ＧＰＰの規格に準拠したシステムであってもよい。より具体的には、例えば、システム２は、第５世代（５Ｇ）の規格に準拠したシステムであってもよい。
【０１５７】
例えば、基地局５００、基地局６００及び端末装置７００についての説明は、第１の実施形態の基地局１００、基地局２００及び端末装置３００についての説明と同じである。よって、ここでは重複する説明を省略する。
【０１５８】
＜３．２．基地局５００の構成＞
次に、図１３を参照して、第２の実施形態の基地局５００の構成の例を説明する。図１３は、第２の実施形態の基地局５００の概略的な構成の例を示すブロック図である。図１３を参照すると、基地局５００は、第１通信処理部５１０及び第２通信処理部５２０を備える。
【０１５９】
第１通信処理部５１０及び第２通信処理部５２０の具体的な動作は、後に説明する。
【０１６０】
第１通信処理部５１０及び第２通信処理部５２０は、ベースバンド（ＢＢ）プロセッサ及び／又は他のプロセッサ等により実装されてもよい。第１通信処理部５１０及び第２通信処理部５２０は、同一のプロセッサにより実装されてもよく、別々に異なるプロセッサにより実装されてもよい。
【０１６１】
基地局５００は、プログラムを記憶するメモリと、当該プログラムを実行可能な１つ以上のプロセッサとを含んでもよく、当該１つ以上のプロセッサは、第１通信処理部５１０及び第２通信処理部５２０の動作を行ってもよい。上記プログラムは、第１通信処理部５１０及び第２通信処理部５２０の動作を上記１つ以上のプロセッサに実行させるためのプログラムであってもよい。
【０１６２】
＜３．３．基地局６００の構成＞
次に、図１４を参照して、第２の実施形態の基地局６００の構成の例を説明する。図１４は、第２の実施形態の基地局６００の概略的な構成の例を示すブロック図である。図１４を参照すると、基地局６００は、第１通信処理部６１０及び第２通信処理部６２０を備える。
【０１６３】
第１通信処理部６１０及び第２通信処理部６２０の具体的な動作は、後に説明する。
【０１６４】
第１通信処理部６１０及び第２通信処理部６２０は、ベースバンド（ＢＢ）プロセッサ及び／又は他のプロセッサ等により実装されてもよい。第１通信処理部６１０及び第２通信処理部６２０は、同一のプロセッサにより実装されてもよく、別々に異なるプロセッサにより実装されてもよい。
【０１６５】
基地局６００は、プログラムを記憶するメモリと、当該プログラムを実行可能な１つ以上のプロセッサとを含んでもよく、当該１つ以上のプロセッサは、第１通信処理部６１０及び第２通信処理部６２０の動作を行ってもよい。上記プログラムは、第１通信処理部６１０及び第２通信処理部６２０の動作を上記１つ以上のプロセッサに実行させるためのプログラムであってもよい。
【０１６６】
＜３．４．端末装置７００の構成＞
次に、図１５を参照して、第２の実施形態の端末装置７００の構成の例を説明する。図１５は、第２の実施形態の端末装置７００の概略的な構成の例を示すブロック図である。図１５を参照すると、端末装置７００は、受信処理部７１０及び送信処理部７２０を備える。
【０１６７】
受信処理部７１０及び送信処理部７２０の具体的な動作は、後に説明する。
【０１６８】
受信処理部７１０及び送信処理部７２０は、ベースバンド（ＢＢ）プロセッサ及び／又は他のプロセッサ等により実装されてもよい。受信処理部７１０及び送信処理部７２０は、同一のプロセッサにより実装されてもよく、別々に異なるプロセッサにより実装されてもよい。
【０１６９】
端末装置７００は、プログラムを記憶するメモリと、当該プログラムを実行可能な１つ以上のプロセッサとを含んでもよく、当該１つ以上のプロセッサは、受信処理部７１０及び送信処理部７２０の動作を行ってもよい。上記プログラムは、受信処理部７１０及び送信処理部７２０の動作を上記１つ以上のプロセッサに実行させるためのプログラムであってもよい。
【０１７０】
＜３．５．技術的特徴＞
次に、図１６を参照して、第２の実施形態の技術的特徴を説明する。
【０１７１】
第２の実施形態では、基地局５００（第１通信処理部５１０）は、ビームフォーミングを用いてリファレンス信号を送信する。端末装置７００（受信処理部７１０）は、当該リファレンス信号を受信する。
【０１７２】
また、端末装置７００（送信処理部７２０）は、ビームに関する第１のビーム関連情報であって、基地局５００についての当該第１のビーム関連情報を、基地局６００へ送信し、基地局６００（第１通信処理部６１０）は、当該第１のビーム関連情報を受信する。
【０１７３】
さらに、基地局６００（ソース基地局）から基地局５００（ターゲット）への端末装置７００のハンドオーバが行われる。基地局６００（第２通信処理部６２０）は、上記第１のビーム関連情報に対応する第２のビーム関連情報を含むハンドオーバメッセージ（例えば、ハンドオーバ要求メッセージ）を、基地局５００へ送信し、基地局５００（第２通信処理部５２０）は、当該ハンドオーバメッセージを受信する。
【０１７４】
とりわけ第２の実施形態では、基地局５００（第１通信処理部５１０）は、上記第２のビーム関連情報に基づいて、端末装置７００のアクセス信号を受信する。
【０１７５】
（１）リファレンス信号の送信、測定報告、ハンドオーバメッセージ、ビーム関連情報、及びアクセス信号の受信、及び「送信する」の意味
例えば、第２の実施形態におけるリファレンス信号の送信、測定報告、ハンドオーバメッセージ、ビーム関連情報、アクセス信号の受信、及び「送信する」の意味についての説明は、第１の実施形態におけるこれらについての説明と同じである。よって、ここでは重複する説明を省略し、処理の概略的な流れの例のみを説明する。
【０１７６】
（２）処理の流れ
図１６は、第２の実施形態の処理の概略的な流れの例を説明するためのシーケンス図である。
【０１７７】
端末装置７００は、ビームに関する第１のビーム関連情報であって、基地局５００についての当該第１のビーム関連情報を、基地局６００へ送信し、基地局６００は、当該第１のビーム関連情報を受信する（Ｓ８０１）。
【０１７８】
基地局６００は、上記第１のビーム関連情報に対応する第２のビーム関連情報を含むハンドオーバメッセージ（例えば、ハンドオーバ要求メッセージ）を、基地局５００へ送信し、基地局５００は、当該ハンドオーバメッセージを受信する（Ｓ８０３）。
【０１７９】
基地局５００は、上記第２のビーム関連情報に基づいて、端末装置７００のアクセス信号を受信する（Ｓ８０５）。
【０１８０】
以上、本発明の実施形態を説明したが、本発明は上述した実施形態に限定されるものではない。上述した実施形態は例示にすぎないということ、及び、本発明のスコープ及び精神から逸脱することなく様々な変形が可能であるということは、当業者に理解されるであろう。
【０１８１】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１８２】
また、本明細書において説明した基地局の構成要素（例えば、第１通信処理部及び／又は第２通信処理部）を備える装置又はそのモジュール（例えば、ベースバンドプロセッサ又は他のチップ）が提供されてもよい。同様に、本明細書において説明した端末装置の構成要素（例えば、受信処理部及び／又は送信処理部）を備えるモジュール（例えば、ベースバンドプロセッサ又は他のチップ）が提供されてもよい。また、上記構成要素の処理を含む方法が提供されてもよく、上記構成要素の処理をプロセッサに実行させるためのプログラムが提供されてもよい。また、当該プログラムを記録した記録媒体（コンピュータに読み取り可能な非一時的記録媒体）が提供されてもよい。当然ながら、このような装置、モジュール、方法、プログラム及び記録媒体も本発明に含まれる。
【０１８３】
上記実施形態の一部又は全部は、以下の付記のようにも記載され得るが、以下には限られない。
【０１８４】
（付記１）
ビームフォーミングを用いてリファレンス信号を送信する第１通信処理部と、
端末装置のハンドオーバのソース基地局からハンドオーバメッセージを受信する第２通信処理部と、
を備え、
前記ハンドオーバメッセージは、ビームに関するビーム関連情報を含み、
前記第１通信処理部は、前記ビーム関連情報に基づいて、前記端末装置のアクセス信号を受信する、
装置。
【０１８５】
（付記２）
前記第１通信処理部は、前記ビーム関連情報に対応する、ビームフォーミング重みのセットを用いて、前記アクセス信号を受信する、付記１に記載の装置。
【０１８６】
（付記３）
前記アクセス信号は、前記端末装置のランダムアクセスにおけるアップリンク信号である、付記１又は２に記載の装置。
【０１８７】
（付記４）
前記第２通信処理部は、前記アクセス信号を送信するための無線リソースを示すリソース情報を前記ソース基地局へ送信する、付記１〜３のいずれか１項に記載の装置。
【０１８８】
（付記５）
前記無線リソースは、前記ビーム関連情報に対応するビーム又はビームフォーミング重みのセットのための無線リソースである、付記４に記載の装置。
【０１８９】
（付記６）
前記第２通信処理部は、前記ハンドオーバメッセージへの応答メッセージを前記ソース基地局へ送信し、
前記応答メッセージは、前記リソース情報を含む、
付記４又は５に記載の装置。
【０１９０】
（付記７）
前記第２通信処理部は、前記リソース情報とともに、前記アクセス信号の再送周期を示す再送周期情報を前記ソース基地局へ送信する、付記４〜６のいずれか１項に記載の装置。
【０１９１】
（付記８）
前記リソース情報は、前記ソース基地局から前記端末装置へ送信される情報である、付記４〜７のいずれか１項に記載の装置。
【０１９２】
（付記９）
前記第１通信処理部は、複数のビームによりリファレンス信号を送信する、付記１〜８のいずれか１項に記載の装置。
【０１９３】
（付記１０）
前記第１通信処理部は、ビームごとに異なる無線リソースを用いて、前記複数のビームによりリファレンス信号を送信する、付記９に記載の装置。
【０１９４】
（付記１１）
前記無線リソースは、周波数リソース、時間リソース、又は時間周波数リソースである、付記１０に記載の装置。
【０１９５】
（付記１２）
前記ビーム関連情報は、複数のビームのうちの１つに関する情報である、付記１〜１１のいずれか１項に記載の装置。
【０１９６】
（付記１３）
前記ビーム関連情報は、前記複数のビームのうちの１つを示す情報である、付記１２に記載の装置。
【０１９７】
（付記１４）
前記ビーム関連情報は、ビームフォーミング重みの複数のセットのうちの１つを示す情報である、付記１２又は１３に記載の装置。
【０１９８】
（付記１５）
前記ビーム関連情報は、前記端末装置から前記ソース基地局へ送信されるビーム関連情報に対応する、付記１〜１４のいずれか１項に記載の装置。
【０１９９】
（付記１６）
前記第２通信処理部は、ビームフォーミングのコンフィギュレーションに関するビームフォーミングコンフィギュレーション情報を、前記ソース基地局へ送信する、付記１〜１５のいずれか１項に記載の装置。
【０２００】
（付記１７）
前記ビームフォーミングコンフィギュレーション情報は、ビームの数を示す情報、及び、リファレンス信号を送信するためのビームごとの無線リソースを示す情報を含む、付記１６に記載の装置。
【０２０１】
（付記１８）
前記ビームフォーミングコンフィギュレーション情報は、前記ソース基地局から前記端末装置へ送信される情報である、付記１６又は１７に記載の装置。
【０２０２】
（付記１９）
前記装置は、基地局、基地局を構成する複数の装置のうちの１つ以上の装置、又は当該複数の装置のうちの１つのためのモジュールである、付記１〜１８のいずれか１項に記載の装置。
【０２０３】
（付記２０）
ビームに関する第１のビーム関連情報であって、ビームフォーミングを用いてリファレンス信号を送信する基地局についての前記第１のビーム関連情報を、端末装置から受信する第１通信処理部と、
前記第１のビーム関連情報に対応する第２のビーム関連情報を含むハンドオーバメッセージを、前記基地局へ送信する第２通信処理部と、
を備え、
前記第２のビーム関連情報は、前記基地局が前記端末装置のアクセス信号を受信するのに用いる情報である、
装置。
【０２０４】
（付記２１）
前記第１通信処理部は、前記アクセス信号を送信するための無線リソースを示すリソース情報を前記端末装置へ送信する、付記２０に記載の装置。
【０２０５】
（付記２２）
前記第１通信処理部は、前記リソース情報とともに、前記アクセス信号の再送周期を示す再送周期情報を前記端末装置へ送信する、付記２１に記載の装置。
【０２０６】
（付記２３）
前記第１通信処理部は、ハンドオーバコマンドメッセージを前記端末装置へ送信し、
前記ハンドオーバコマンドメッセージは、前記リソース情報を含む、
付記２１又は２２に記載の装置。
【０２０７】
（付記２４）
前記第２通信処理部は、前記リソース情報を前記基地局から受信する、付記２１〜２３のいずれか１項に記載の装置。
【０２０８】
（付記２５）
前記第１通信処理部は、前記リソース情報を生成する、付記２１〜２３のいずれか１項に記載の装置。
【０２０９】
（付記２６）
前記第２のビーム関連情報は、前記第１のビーム関連情報と同一の情報である、付記２０〜２５のいずれか１項に記載の装置。
【０２１０】
（付記２７）
前記第１のビーム関連情報及び前記第２のビーム関連情報は、複数のビームのうちの１つに関する情報である、付記２０〜２６のいずれか１項に記載の装置。
【０２１１】
（付記２８）
前記第１通信処理部は、前記端末装置から送信される測定報告を受信し、
前記測定報告は、前記第１のビーム関連情報を含む、
付記２０〜２７のいずれか１項に記載の装置。
【０２１２】
（付記２９）
前記第２通信処理部は、前記基地局のビームフォーミングのコンフィギュレーションに関するビームフォーミングコンフィギュレーション情報を、前記基地局から受信し、
前記第１通信処理部は、前記ビームフォーミングコンフィギュレーション情報を前記端末装置へ送信する、
付記２０〜２８のいずれか１項に記載の装置。
【０２１３】
（付記３０）
前記第１通信処理部は、測定コンフィギュレーションを前記端末装置へ送信し、
前記測定コンフィギュレーションは、前記ビームフォーミングコンフィギュレーション情報を含む、
付記２９に記載の装置。
【０２１４】
（付記３１）
前記装置は、基地局、基地局を構成する複数の装置のうちの１つ以上の装置、又は当該複数の装置のうちの１つのためのモジュールである、付記２０〜３０のいずれか１項に記載の装置。
【０２１５】
（付記３２）
第１の基地局によりビームフォーミングを用いて送信されるリファレンス信号を受信する受信処理部と、
ビームに関する第１のビーム関連情報であって、前記第１の基地局についての前記第１のビーム関連情報を、第２の基地局へ送信する送信処理部と、
を備え、
前記第１のビーム関連情報は、前記第１の基地局がアクセス信号を受信するのに用いる第２のビーム関連情報に対応する、
装置。
【０２１６】
（付記３３）
前記受信処理部は、アクセス信号を送信するための無線リソースを示すリソース情報を前記第２の基地局から受信し、
前記送信処理部は、前記リソース情報に基づいて、アクセス信号を前記第１の基地局へ送信する、
付記３２に記載の装置。
【０２１７】
（付記３４）
前記受信処理部は、前記リソース情報とともに、アクセス信号の再送周期を示す再送周期情報を前記第２の基地局から受信し、
前記送信処理部は、前記再送周期情報に基づいて、アクセス信号を前記第１の基地局へ再送する、
付記３３に記載の装置。
【０２１８】
（付記３５）
前記送信処理部は、測定報告を第２の基地局へ送信し、
前記測定報告は、前記第１のビーム関連情報を含む、
付記３２〜３４のいずれか１項に記載の装置。
【０２１９】
（付記３６）
前記測定報告は、前記第１の基地局によりビームフォーミングを用いて送信されるリファレンス信号の測定結果を含む、付記３５に記載の装置。
【０２２０】
（付記３７）
前記受信処理部は、前記第１の基地局のビームフォーミングのコンフィギュレーションに関するビームフォーミングコンフィギュレーション情報を、前記第２の基地局から受信し、
前記受信処理部は、前記ビームフォーミングコンフィギュレーション情報に基づいて、前記第１の基地局によりビームフォーミングを用いて送信されるリファレンス信号を受信する、
付記３２〜３６のいずれか１項に記載の装置。
【０２２１】
（付記３８）
前記装置は、端末装置、又は端末装置のためのモジュールである、付記３２〜３７のいずれか１項に記載の装置。
【０２２２】
（付記３９）
ビームフォーミングを用いてリファレンス信号を送信することと、
ビームに関するビーム関連情報を含むハンドオーバメッセージを、端末装置のハンドオーバのソース基地局から受信することと、
前記ビーム関連情報に基づいて、前記端末装置のアクセス信号を受信することと、
を含む方法。
【０２２３】
（付記４０）
ビームに関する第１のビーム関連情報であって、ビームフォーミングを用いてリファレンス信号を送信する基地局についての前記第１のビーム関連情報を、端末装置から受信することと、
前記第１のビーム関連情報に対応する第２のビーム関連情報を含むハンドオーバメッセージを、前記基地局へ送信することと、
を含み、
前記第２のビーム関連情報は、前記基地局が前記端末装置のアクセス信号を受信するのに用いる情報である、
方法。
【０２２４】
（付記４１）
第１の基地局によりビームフォーミングを用いて送信されるリファレンス信号を受信することと、
ビームに関する第１のビーム関連情報であって、前記第１の基地局についての前記第１のビーム関連情報を、第２の基地局へ送信することと、
を含み、
前記第１のビーム関連情報は、前記第１の基地局がアクセス信号を受信するのに用いる第２のビーム関連情報に対応する、
方法。
【０２２５】
（付記４２）
第１の基地局と、
第２の基地局と、
端末装置と、
を含み、
前記第１の基地局は、ビームフォーミングを用いてリファレンス信号を送信し、
前記端末装置は、
前記リファレンス信号を受信し、
ビームに関する第１のビーム関連情報であって、前記第１の基地局についての前記第１のビーム関連情報を、前記第２の基地局へ送信し、
前記第２の基地局は、前記第１のビーム関連情報に対応する第２のビーム関連情報を含むハンドオーバメッセージを、前記第１の基地局へ送信し、
前記第１の基地局は、前記第２のビーム関連情報に基づいて、前記端末装置のアクセス信号を受信する、
システム。
【０２２６】
（付記４３）
ビームフォーミングを用いてリファレンス信号を送信することと、
ビームに関するビーム関連情報を含むハンドオーバメッセージを、端末装置のハンドオーバのソース基地局から受信することと、
前記ビーム関連情報に基づいて、前記端末装置のアクセス信号を受信することと、
をプロセッサに実行させるためのプログラム。
【０２２７】
（付記４４）
ビームに関する第１のビーム関連情報であって、ビームフォーミングを用いてリファレンス信号を送信する基地局についての前記第１のビーム関連情報を、端末装置から受信することと、
前記第１のビーム関連情報に対応する第２のビーム関連情報を含むハンドオーバメッセージを、前記基地局へ送信することと、
をプロセッサに実行させるためのプログラムであり、
前記第２のビーム関連情報は、前記基地局が前記端末装置のアクセス信号を受信するのに用いる情報である、
プログラム。
【０２２８】
（付記４５）
第１の基地局によりビームフォーミングを用いて送信されるリファレンス信号を受信することと、
ビームに関する第１のビーム関連情報であって、前記第１の基地局についての前記第１のビーム関連情報を、第２の基地局へ送信することと、
をプロセッサに実行させるためのプログラムであり、
前記第１のビーム関連情報は、前記第１の基地局がアクセス信号を受信するのに用いる第２のビーム関連情報に対応する、
プログラム。
【０２２９】
（付記４６）
ビームフォーミングを用いてリファレンス信号を送信することと、
ビームに関するビーム関連情報を含むハンドオーバメッセージを、端末装置のハンドオーバのソース基地局から受信することと、
前記ビーム関連情報に基づいて、前記端末装置のアクセス信号を受信することと、
をプロセッサに実行させるためのプログラムを記録したコンピュータに読み取り可能な非一時的記録媒体。
【０２３０】
（付記４７）
ビームに関する第１のビーム関連情報であって、ビームフォーミングを用いてリファレンス信号を送信する基地局についての前記第１のビーム関連情報を、端末装置から受信することと、
前記第１のビーム関連情報に対応する第２のビーム関連情報を含むハンドオーバメッセージを、前記基地局へ送信することと、
をプロセッサに実行させるためのプログラムを記録したコンピュータに読み取り可能な非一時的記録媒体であり、
前記第２のビーム関連情報は、前記基地局が前記端末装置のアクセス信号を受信するのに用いる情報である、
コンピュータに読み取り可能な非一時的記録媒体。
【０２３１】
（付記４８）
第１の基地局によりビームフォーミングを用いて送信されるリファレンス信号を受信することと、
ビームに関する第１のビーム関連情報であって、前記第１の基地局についての前記第１のビーム関連情報を、第２の基地局へ送信することと、
をプロセッサに実行させるためのプログラムを記録したコンピュータに読み取り可能な非一時的記録媒体であり、
前記第１のビーム関連情報は、前記第１の基地局がアクセス信号を受信するのに用いる第２のビーム関連情報に対応する、
コンピュータに読み取り可能な非一時的記録媒体。
【０２３２】
この出願は、２０１６年８月３日に出願された日本出願特願２０１６−１５２６１８を基礎とする優先権を主張し、その開示の全てをここに取り込む。
【産業上の利用可能性】
【０２３３】
移動体通信システムにおいて、ハンドオーバが成功する可能性をより高くすることができる。
【符号の説明】
【０２３４】
１、２                          システム
１０、２０                      セル／カバレッジエリア
１１                            ビーム
３０                            ビームサーチ期間
１００、２００、５００、６００  基地局
１４１、２４１、５１０、６１０  第１通信処理部
１４３、２４３、５２０、６２０  第２通信処理部
３００、７００                  端末装置
３３１、７１０                  受信処理部
３３３、７２０                  送信処理部
【図１】
2020074639.tif 000003
【図２】
2020074639.tif 000004
【図３】
2020074639.tif 000005
【図４】
2020074639.tif 000006
【図５】
2020074639.tif 000007
【図６】
2020074639.tif 000008
【図７】
2020074639.tif 000009
【図８】
2020074639.tif 000010
【図９】
2020074639.tif 000011
【図１０】
2020074639.tif 000012
【図１１】
2020074639.tif 000013
【図１２】
2020074639.tif 000014
【図１３】
2020074639.tif 000015
【図１４】
2020074639.tif 000016
【図１５】
2020074639.tif 000017
【図１６】
2020074639.tif 000018